(57)【要約】【課題】歌い手が選曲したカラオケ楽曲と同一の楽曲が予約登録されたカラオケ楽曲中に存在する場合、その旨の警告をカラオケ用リモコン装置に表示することができるカラオケ演奏予約システムを提供する。【解決手段】カラオケ装置は、リモコン装置から受信した第１演奏予約情報（例えば、曲番号データ”Ａ−０１００”）を記憶し、演奏予約したカラオケ楽曲以前に演奏予約されたカラオケ楽曲を特定する第２演奏予約情報（例えば、演奏曲情報記憶部１５の演奏曲管理テーブルに記憶された曲番号データ”Ａ−００９６”など）を記憶し、第１演奏予約情報と第２演奏予約情報とを比較してと、同一である場合は警告する。【選択図】  図１
2005275307.tif 000002
【特許請求の範囲】
【請求項１】
演奏予約されたカラオケ楽曲に基づいてカラオケ演奏をおこなうように構成されたカラオケ装置と前記演奏予約するカラオケ楽曲をカラオケ装置に送信する通信機能を備えたカラオケ用リモコン装置からなるカラオケ演奏予約システムであって、
カラオケ装置は、前記カラオケ用リモコン装置から受信した演奏予約するカラオケ楽曲を特定する第１演奏予約情報を記憶する第１記憶手段と、
前記演奏予約するカラオケ楽曲以前に演奏予約されたカラオケ楽曲を特定する第２演奏予約情報を記憶する第２記憶手段と、
前記第１演奏予約情報と前記第２演奏予約情報とを比較する比較手段と、
前記比較手段の比較結果に基づいて、前記第１記憶手段が記憶するカラオケ楽曲と前記第２記憶手段が記憶するカラオケ楽曲とが同一であるか否かを判断する判断手段と、
前記判断手段の判断結果に基づいて、同一でない場合は、前記第１演奏予約情報を前記第２記憶手段に記憶させる情報記憶制御手段と、
前記判断手段の判断結果に基づいて、同一である場合は、前記第１記憶手段が記憶するカラオケ楽曲と前記第２記憶手段が記憶するカラオケ楽曲とが同一である旨の警告情報を前記カラオケ用リモコン装置に送信する警告情報送信手段を具備し、
前記カラオケ用リモコン装置は、前記カラオケ装置と通信を行う通信手段と、    
前記通信手段によりカラオケ装置から前記警告情報を受信して、それを表示する表示手段とを備えたことを特徴とするカラオケ演奏予約システム。
【請求項２】
請求項１に記載のカラオケ演奏予約システムにおいて、
前記カラオケ装置の比較手段は、前記第２演奏予約情報中のカラオケ楽曲が演奏されたか否かを示す情報に基づいて、前記演奏予約されたカラオケ楽曲と未だ演奏されていないカラオケ楽曲とを比較すること、
を特徴とするカラオケ演奏予約システム。
【請求項３】
請求項１に記載のカラオケ演奏予約システムにおいて、
前記カラオケ装置は、演奏予約されたカラオケ楽曲とともに、予約したカラオケ用リモコン装置の識別情報を記憶し、前記警告情報とともに前記識別情報を送信し、
前記カラオケ用リモコン装置は、前記警告情報と識別情報に基づいて、警告表示を行うこと、
を特徴とするカラオケ演奏予約システム。
【請求項４】
前記請求項１ないし請求項３のいずれかに記載のカラオケ演奏予約システムに用いられるカラオケ用リモコン装置。
【発明の詳細な説明】
【技術分野】
【０００１】
本発明は、カラオケ演奏予約システムに係り、更に詳しくは、カラオケ装置と該カラオケ装置との双方向通信機能を備えたカラオケ用リモコン装置とからなり、リモコン装置において選曲して演奏予約されたカラオケ楽曲に基づいてカラオケ演奏をおこなうものに関する。
【背景技術】
【０００２】
従来、この種のカラオケ装置においては、歌い手が任意に選曲したカラオケ楽曲を複数曲予約登録し、その予約登録の順序に従って、カラオケ楽曲を演奏するように構成されたカラオケ装置は周知である。
【０００３】
そして、上記のカラオケ装置において、歌い手が所望のカラオケ楽曲を選曲した場合、既に予約登録されたカラオケ楽曲中に選曲されたカラオケ楽曲と同一の楽曲が存在する場合に、警告を発して重複した予約を防止するための工夫がなされたカラオケ装置も知られている（特許文献１参照）。
【特許文献１】特開平10-69286号公報
【発明の開示】
【発明が解決しようとする課題】
【０００４】
しかしながら、従来のカラオケ装置では、警告はカラオケ装置の表示画面に表示されるため、歌詞や背景映像を表示中の画面上に警告情報を表示することになり、歌唱の妨げになるばかりか、例えばカラオケスナックなど、見ず知らずの者が多数集まる場所では、その雰囲気が壊れてしまうばかりでなく、歌唱者が怒って、客同士が気まずくなり、そのことが原因で喧嘩などに発展するという問題点があった。
【０００５】
本発明は、上記の問題点を解決する為になされたものであり、歌い手が選曲したカラオケ楽曲と同一の楽曲が予約登録されたカラオケ楽曲中に存在する場合、その旨の警告をカラオケ用リモコン装置に表示することができるカラオケ演奏予約システムを提供することを目的とする。
【課題を解決するための手段】
【０００６】
請求項１に係る本発明のカラオケ演奏予約システム１０００は、上記の目的を達成する為に、演奏予約されたカラオケ楽曲に基づいてカラオケ演奏をおこなうように構成されたカラオケ装置１と前記演奏予約するカラオケ楽曲をカラオケ装置に送信する通信機能を備えたカラオケ用リモコン装置１００からなるカラオケ演奏予約システム１０００であって、カラオケ装置１は、前記カラオケ用リモコン装置１００から受信した演奏予約するカラオケ楽曲を特定する第１演奏予約情報（例えば、曲番号データ”Ａ−０１００”）を記憶する第１記憶手段（ＲＡＭ７ｂ）と、前記演奏予約するカラオケ楽曲以前に演奏予約されたカラオケ楽曲を特定する第２演奏予約情報（例えば、演奏曲情報記憶部１５の演奏曲管理テーブルに記憶された曲番号データ”Ａ−００９６”など）を記憶する第２記憶手段（演奏曲情報記憶部１５）と、前記第１演奏予約情報と前記第２演奏予約情報とを比較する比較手段（ＣＰＵ部７）と、前記比較手段の比較結果に基づいて、前記第１記憶手段が記憶するカラオケ楽曲と前記第２記憶手段が記憶するカラオケ楽曲とが同一であるか否かを判断する判断手段（ＣＰＵ部７）と、前記判断手段の判断結果に基づいて、同一でない場合は、前記第１演奏予約情報を前記第２記憶手段に記憶させる情報記憶制御手段（ＣＰＵ部７）と、前記判断手段の判断結果に基づいて、同一である場合は、前記第１記憶手段が記憶するカラオケ楽曲と前記第２記憶手段が記憶するカラオケ楽曲とが同一である旨の警告情報Ｗを前記カラオケ用リモコン装置に送信する警告情報送信手段（ＣＰＵ部７，無線通信部１７）を具備し、前記カラオケ用リモコン装置１００は、前記カラオケ装置１と通信を行う通信手段（無線通信部１１０）と、前記通信手段によりカラオケ装置１から前記警告情報Ｗを受信して、それを表示する表示手段（ＣＰＵ１４０，表示部１４０）とを備えたことを特徴とする。
【０００７】
請求項２に係る本発明のカラオケ演奏予約システム１０００は、上記の目的を達成する為に、請求項１に記載のカラオケ演奏予約システム１０００において、前記カラオケ装置１の比較手段（ＣＰＵ部７）は、前記第２演奏予約情報中のカラオケ楽曲が演奏されたか否かを示す情報（演奏曲情報記憶部１５の演奏曲管理テーブルに記憶された演奏完了データ”Ｎｏ”or”Ｙｅｓ”）に基づいて、前記演奏予約されたカラオケ楽曲と未だ演奏されていないカラオケ楽曲とを比較すること、を特徴とする。
【０００８】
請求項３に係る本発明のカラオケ演奏予約システム１０００は、上記の目的を達成する為に、請求項１に記載のカラオケ演奏予約システム１０００において、前記カラオケ装置１は、演奏予約されたカラオケ楽曲とともに、予約したカラオケ用リモコン装置１００の識別情報ＩＤ（例えば、”１００ａ”）を記憶し、前記警告情報Ｗとともに前記識別情報ＩＤを送信し、前記カラオケ用リモコン装置１００は、前記警告情報Ｗと識別情報ＩＤに基づいて、警告表示を行うこと、を特徴とする。
【０００９】
請求項４に係る本発明のカラオケ用リモコン装置１００は、上記の目的を達成する為に、前記請求項１ないし請求項３のいずれかに記載のカラオケ演奏予約システム１０００に用いられるカラオケ用リモコン装置１００である。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明に係るカラオケ演奏予約システムによれば、歌い手が選曲したカラオケ楽曲と同一の楽曲が、予約登録されたカラオケ楽曲中に存在する場合、所定の条件を満足すれば、その旨の警告を演奏予約したカラオケ用リモコン装置に表示するので、カラオケ装置が使用中であっても、カラオケ画面に目障りな警告情報を表示することがなく、カラオケの場の雰囲気を壊すことを防止することができる。
【発明を実施するための最良の形態】
【００１２】
以下、この発明の実施の形態を説明する。
【実施例１】
【００１３】
つぎに、本発明の実施の形態を、図面と共に詳細に説明する。
【００１４】
図１は、本発明に係るカラオケ演奏予約システムの構成を示すブロック図であって、通信カラオケ装置に適用した場合の基本構成を示している。
【００１５】
１は通信カラオケ装置を示している。７は、ＣＰＵ部であり、カラオケ装置１の全体を制御するものであって、マイクロプロセッサの他に、制御プログラムを格納するためのＲＯＭ７ａ及び制御に必要な複数のフラグ領域を有しデータ等を一時的に格納するＲＡＭ７ｂなどで構成されており、各種の入出力装置の制御、メモリー管理及びデータ処理などを行う。
【００１６】
１２は、操作部であり、カラオケ装置１の各種状態を設定する各種キー、スイッチで構成される。
【００１７】
１３は、表示部であり、カラオケ装置１の各種状態を設定する為に必要な情報を操作者に表示（例えば、警告表示）するＬＣＤやＬＥＤなどで構成される。
【００１８】
１６は、スピーカであり、例えば、予約登録不能の場合などに、操作者に警告音を発してその旨を警告する。
【００１９】
５は、モデムであり、電話回線などのアナログ通信回線やＡＤＳＬや光回線などのデジタル通信回線を経由してホストコンピュータから送信される音楽データをコンピュータで利用可能な信号に変換する。この音楽データは、カラオケ楽曲を再生するために必要なデータであって制御データ及び演奏データで構成される。制御データは、例えば、カラオケ楽曲のサビの開始クロック数や終了クロック数などを示す情報で構成され、また演奏データは、ＭＩＤＩ規格に基づいてコード化されたＭＩＤＩデータである演奏音楽データと文字情報、色替情報及びジャンル情報などからなる演奏曲の歌詞を示す歌詞映像データで構成される。
【００２０】
６は、主記憶装置であり、ハードディスク、半導体メモリー、ＣＤ−ＲＯＭ、ＤＶＤ−ＲＯＭやＤＶＤ−ＲＡＭなど書き換え可能な記憶媒体及び読み取り専用の記憶媒体で構成され、ＣＰＵ部７の制御の下に、モデム５で取り込んだ音楽データを格納する。また、この主記憶装置６の管理情報記憶部には、記憶した音楽データを管理する為に必要な情報が管理テーブルとして記憶されており、各楽曲毎に、楽曲番号、格納された日付（年月日）及び格納以降の選曲回数を示す情報などを記憶している。
【００２１】
通常、音楽データは、主記憶装置６の記憶容量を極力減らさない為に、データ圧縮された状態で格納されている。また、この音楽データは、カラオケ装置１の使用者のリクエストによって取り込まれるだけでなく、夜間などのカラオケ装置１の使用頻度の少ない時間帯に自動的に取り込まれる。
【００２２】
１５は、演奏曲情報記憶部であり、一般的には半導体メモリーなどの書き換え及び高速アクセス可能な記憶媒体で構成され、ＣＰＵ部７の制御の下に、リモコン装置１００から受信した演奏予約するカラオケ楽曲を指定する情報に加え、該演奏予約したリモコン装置１００ａ,１００ｂ，・・・，を識別する識別情報、演奏予約されたカラオケ楽曲が演奏されたか否かを示す情報、カラオケ楽曲が所定曲数以内に演奏されたか否かを示す情報及びカラオケ楽曲が所定時間以内に演奏されたか否かを示す情報等を記憶する。
【００２３】
１４は、演奏データ記憶部であり、一般的にはハードディスクや半導体メモリーなどの書き換え及び高速アクセス可能な記憶媒体で構成され、ＣＰＵ部７の制御の下に、主記憶装置６から読み出された音楽データをデータ解凍した状態で記憶する。
【００２４】
２は、外部映像再生装置であり、広く普及しているＶＴＲ、ビデオＣＤプレーヤ、ＬＤプレーヤ、また最近では、ＭＰＥＧ（Ｍｏｖｉｎｇ  Ｐｉｃｔｕｒｅ  Ｅｌｅｍｅｎｔ  Ｇｒｏｕｐ）プレーヤやＤＶＤ（Ｄｉｇｉｔａｌ  Ｖｉｄｅｏ  Ｄｉｓｋ）プレーヤなどであって、ＣＰＵ部７の制御の下に、記録媒体であるビデオテープや各種ディスクに記録されている映像データから映像信号を再生して出力する。
【００２５】
９は、スーパーインポーズ部であり、ＣＰＵ部７によって、演奏データ記憶部１４に格納された音楽データを検索して得られた歌詞映像データ内の文字情報や色替情報などが供給される。また、スーパーインポーズ部９は、ＣＰＵ部７の指示によって外部映像再生装置２から供給される背景映像信号に、演奏される曲の歌詞を示す歌詞映像データに基づいた歌詞映像を合成して、後述する映像表示部３に出力する。
【００２６】
３は、映像表示部であり、最近広く普及しているワイドＴＶやモニターＴＶなどの複数の映像を複数のウインドウに同時に表示可能な表示装置である。また、映像表示部３は、複数の映像表示装置１〜Ｎで構成されており、各映像表示装置は、スーパーインポーズ部９から入力される映像信号に基づいた映像を同時に表示する。
【００２７】
８は、ＭＩＤＩ音源部であり、ＣＰＵ部７によって、演奏データ記憶部１４に格納された音楽データ中のＭＩＤＩデータが供給され、このＭＩＤＩデータを電子楽器の機能によって演奏音楽信号として出力する。
【００２８】
１０は、ミキサ／アンプ部であり、ＭＩＤＩ音源部８から出力された演奏音楽信号と、マイク４によって取り込まれた歌い手の歌声の信号とを合成及び増幅してスピーカ１１に出力することによって、演奏音楽及び歌い手の歌声を可聴音として再生する。
【００２９】
１７はリモコン装置１００ａ，１００ｂ，・・・と無線通信を行う無線通信部であり、無線通信方式として本実施例では、ブルートゥース（Bluetooth）の技術を採用している。
【００３０】
１００ａ，１００ｂ，１００ｃ，・・・は、カラオケ用リモコン装置であり、図２のブロック構成図に示したように、前記カラオケ装置１の無線通信部と双方向通信を行うための無線通信部１１０を備えており、無線通信方式として本実施例では、ブルートゥース（Bluetooth）の技術を採用している。
【００３１】
１２０は操作部であり、カラオケ楽曲の検索操作入力や、カラオケ演奏予約指示，演奏予約取消指示などの各種操作情報を入力するためのキー入力が可能である。
【００３２】
１３０はＣＰＵ部であり、リモコン装置１００の全体を制御するものであって、マイクロプロセッサの他に、制御プログラムやリモコン装置固有の識別情報を格納するためのＲＯＭ１３０ａ及び制御に必要な複数のフラグ領域を有しデータ等を一時的に格納するＲＡＭ１３０ｂなどで構成されており、各種の入出力装置の制御、メモリー管理及びデータ処理などを行う。
【００３３】
１４０はＬＣＤ等からなる表示部であり、カラオケ楽曲情報、各種指示情報、演奏予約が重なった場合の警告情報などを表示する。
【００３４】
つぎに、上述のように構成された本発明に係るカラオケ装置１とリモコン装置１００からなるカラオケ演奏予約システム１０００の動作を図３のフローチャートを参照しながら、演奏予約入力動作及び演奏動作に分けて詳細に説明する。
【００３５】
（１）演奏予約入力動作：
操作者が、リモコン装置１００を使用して、例えば表示部１４０に表示される情報を見ながら、操作部１２０のキーを操作して演奏する曲の曲番号を入力することによって選曲を行い、その選曲予約指示を行うと（ステップ１０１、以下、ステップをＳと略記する）、ＣＰＵ部１３０は、前記選曲予約指示に基づいて、選曲予約情報Ｒとして、前記選曲した曲番号をリモコン装置の識別情報ＩＤと共に、無線通信部１１０からカラオケ装置１に送信する（Ｓ１０２）。
【００３６】
カラオケ装置１は、前記選曲予約情報Ｒを受信すると（Ｓ１）、受信した演奏曲の曲番号データとリモコン装置１００の識別情報ＩＤをＲＡＭ７ｂに一時的に記憶する（Ｓ２）。
【００３７】
そして、ＣＰＵ部７は、その演奏曲の曲番号データに、ＲＡＭ７ｂに記憶している次の予約曲に付与すべきカラオケ楽曲の予約番号データ、カラオケ楽曲の予約時間データ及びカラオケ楽曲が演奏されたか否かを示す演奏完了データを付加して、演奏曲情報記憶部１５に記憶する（Ｓ３）。
【００３８】
図４は、ＣＰＵ部７が演奏曲情報記憶部１５に記憶させる演奏曲管理データの概念図である。
【００３９】
ＣＰＵ部７は、例えば入力された演奏曲の曲番号データが”Ａ−０１００”、リモコン装置の識別情報ＩＤが”１００ａ”であり、ＲＡＭ７ｂに記憶している予約番号データが最初に予約されたものから１００曲目であることを意味する”１００”であれば、予約時間データとしてタイマーから読み取った予約時間である”１３時４０分”及び演奏完了データとしてカラオケ楽曲が演奏されていない旨を示す”Ｎｏ”を作成し、演奏曲管理データとする。
【００４０】
図５は、演奏曲情報記憶部１５が記憶する演奏曲管理テーブルの概念図である。図５（Ａ）は、上記演奏曲管理データを登録する前の状態及び図５（Ｂ）は、上記演奏曲管理データを登録した後の状態を示している。
【００４１】
図５（Ａ）の演奏曲管理テーブルは、曲番号がＡ−０００１〜Ａ−００９９までの９９曲が予約番号が示す順序で及び予約時間が示す時間に登録され、Ａ−０００１〜Ａ−００９６までの９６曲が既に演奏を完了し、Ａ−００９７〜Ａ−００９９までの３曲が演奏待機中であるという内容を意味する。また、識別情報ＩＤ”１００ｂ”は、リモコン装置１００ｂから演奏予約されたことを示し、識別情報ＩＤ”１００ｃ”はリモコン装置１００ｃから演奏予約されたことを示している。
【００４２】
ＣＰＵ部７は、図５（Ａ）で示す演奏曲管理テーブルに、上記の演奏曲管理データを登録すると、演奏曲管理テーブルは図５（Ｂ）で示す状態となり、この演奏曲管理テーブルは、Ａ−００９７〜Ａ−０１００までの４曲が演奏待機中であるという内容を意味する。
【００４３】
但し、ＣＰＵ部７は、演奏曲管理データを登録する直前に、予約登録モードに従って、入力された演奏曲を登録するか否かを判断する（Ｓ４）。
【００４４】
予約登録モードとは、演奏曲を登録する条件を与える登録モードであり、予約番号モード、予約時間モード及び演奏完了モードの３つがある。
【００４５】
予約番号モードとは、予約番号データに基づいて、過去に登録された所定の曲数内で同一の曲が存在するか否かを判断する。ただし、この所定の曲数を与えるデータは、装置の使用者が操作部１２を操作して入力したり、ＲＯＭ７ａ内にデフォルト値として記憶している。
【００４６】
例えば、所定の曲数を与えるデータが”１０曲”であれば、ＣＰＵ部７は、予約番号が”９０〜９９”の１０曲内に同一の曲が存在するか否かを判断する（Ｓ５）。ここで、ＣＰＵ部７は、同一の曲が存在しなければ、その曲を登録すると共に（Ｓ５１）（図５（Ｂ）参照）、登録完了情報Ｒを演奏予約を行ったリモコン装置１００に送信する（Ｓ５２）。他方、もし同一の曲が存在すれば、その曲を登録することなく一時保留にして（Ｓ５３）、その旨を示す警告情報Ｗをリモコン装置１００へ送信する（Ｓ５４）。尚、この場合の警告情報Ｗには、演奏予約された１０曲内に同一の曲が存在する旨、演奏予約したリモコン装置の識別情報ＩＤが含まれる。
【００４７】
リモコン装置１００では、登録完了情報Ｒを受信すると（Ｓ１１０）、演奏予約したカラオケ楽曲の登録が完了した旨を表示部１４０に表示する（Ｓ１１１）。他方、前記警告情報Ｗを受信すると（Ｓ１１０）、音や光で警告表示を行うと共に（Ｓ１１２）、演奏予約された１０曲内に同一の曲が存在する旨、演奏予約したリモコン装置の識別情報ＩＤを表示する（Ｓ１１３）。そして、その曲を登録するか否かを再度確認する画面をリモコン装置１００の表示１４０に表示する（Ｓ１１４）。そして、操作者の入力条件に従って（Ｓ１１５）、曲の登録又は不登録の指示情報をカラオケ装置１へ送信する（Ｓ１１６）。
【００４８】
カラオケ装置１は、前記曲の登録又は不登録の指示情報を受信すると（Ｓ８）、その指示情報に基づいて、前記選曲予約した曲を登録するか、登録を中止する（Ｓ９）。
【００４９】
予約時間モードとは、予約時間データに基づいて、過去に登録された曲の内、所定時間内で同一の曲が存在するか否かを判断する。ただし、この所定時間を与えるデータは、装置の使用者が操作部１２を操作して入力したり、ＲＯＭ７ａ内にデフォルト値として記憶している。
【００５０】
例えば、所定の曲数を与えるデータが”４０分”であれば、ＣＰＵ部７は、予約番号が”９６〜９９”の４曲内に同一の曲が存在するか否かを判断する（Ｓ６）。ここで、ＣＰＵ部７は、同一の曲が存在しなければ、その曲を登録すると共に（Ｓ６１）（図５（Ｂ）参照）、登録完了情報Ｒを演奏予約を行ったリモコン装置１００に送信する（Ｓ６２）。他方、もし同一の曲が存在すれば、その曲を登録することなく一時保留にして（Ｓ６３）、その旨を示す警告情報Ｗをリモコン装置１００へ送信する（Ｓ６４）。尚、この場合の警告情報Ｗには、過去に演奏予約登録された曲の内、所定時間内で同一の曲が存在する旨、演奏予約したリモコン装置の識別情報ＩＤが含まれる。
【００５１】
リモコン装置１００では、登録完了情報Ｒを受信すると（Ｓ１１０）、演奏予約したカラオケ楽曲の登録が完了した旨を表示部１４０に表示する（Ｓ１１１）。他方、前記警告情報Ｗを受信すると（Ｓ１１０）、音や光で警告表示を行うと共に（Ｓ１１２）、過去に演奏予約登録された曲の内、所定時間内で同一の曲が存在する旨、演奏予約したリモコン装置の識別情報ＩＤを表示する（Ｓ１１３）。そして、その曲を登録するか否かを再度確認する画面をリモコン装置１００の表示１４０に表示する（Ｓ１１４）。そして、操作者の入力条件に従って（Ｓ１１５）、曲の登録又は不登録の指示情報をカラオケ装置１へ送信する（Ｓ１１６）。
【００５２】
カラオケ装置１は、前記曲の登録又は不登録の指示情報を受信すると（Ｓ８）、その指示情報に基づいて、前記選曲予約した曲を登録するか、登録を中止する（Ｓ９）。
【００５３】
演奏完了モードとは、演奏完了データに基づいて、過去に登録された曲の内、未演奏のもので同一の曲が存在するか否かを判断する。
【００５４】
例えば、未演奏の曲とは演奏完了データが”Ｎｏ”であるから、ＣＰＵ部７は、予約番号が”９７〜９９”の３曲内に同一の曲が存在するか否かを判断する（Ｓ７）。ここで、ＣＰＵ部７は、同一の曲が存在しなければ、その曲を登録すると共に（Ｓ７１）（図５（Ｂ）参照）、登録完了情報Ｒを演奏予約を行ったリモコン装置１００に送信する（Ｓ７２）。他方、もし同一の曲が存在すれば。その曲を登録することなく一時保留にして（Ｓ７３）、その旨を示す警告情報Ｗをリモコン装置１００へ送信する（Ｓ７４）。尚、この場合の警告情報Ｗには、過去に登録された曲の内、未演奏のもので同一の曲が存在する旨、演奏予約したリモコン装置の識別情報ＩＤが含まれる。
【００５５】
リモコン装置１００では、登録完了情報Ｒを受信すると（Ｓ１１０）、演奏予約したカラオケ楽曲の登録が完了した旨を表示部１４０に表示する（Ｓ１１１）。他方、前記警告情報Ｗを受信すると（Ｓ１１０）、音や光で警告表示を行うと共に（Ｓ１１２）、過去に登録された曲の内、未演奏のもので同一の曲が存在する旨、演奏予約したリモコン装置の識別情報ＩＤを表示する（Ｓ１１３）。そして、その曲を登録するか否かを再度確認する画面をリモコン装置１００の表示１４０に表示する（Ｓ１１４）。そして、操作者の入力条件に従って（Ｓ１１５）、曲の登録又は不登録の指示情報をカラオケ装置１へ送信する（Ｓ１１６）。
【００５６】
カラオケ装置１は、前記曲の登録又は不登録の指示情報を受信すると（Ｓ８）、その指示情報に基づいて、前記選曲予約した曲を登録するか、登録を中止する（Ｓ９）。
【００５７】
（２）演奏動作：
ＣＰＵ部７は、演奏曲情報記憶部１５が記憶する演奏曲管理テーブルを常に検索しており、演奏完了データに基づいて、再生すべき演奏曲があるか否かを判断するが、図５（Ｂ）の場合には、演奏されていない曲のうち予約番号が最も小さい”９７”の曲番号”Ａ−００９７”の再生動作に移行する。
【００５８】
ＣＰＵ部７は、演奏曲情報記憶部１５に記憶する曲番号データに基づいて、主記憶装置６が格納する音楽データの中からその曲番号に該当する音楽データを検索し、演奏に必要なＭＩＤＩデータと演奏する曲の歌詞データ中の文字情報、色替情報及びジャンル情報などを入手して、演奏データ記憶部１４に記憶する。
【００５９】
そして、ＣＰＵ部７は、演奏データ記憶部１４に取り込んだＭＩＤＩデータに基づいて、ＭＩＤＩ音源部８を制御することによって、曲の演奏に必要な演奏音楽信号を再生し、その演奏音楽信号をミキサ／アンプ部１０に出力する。
【００６０】
ミキサ／アンプ部１０は、この演奏信号とマイク４から入力される歌い手の音声信号とを合成してスピーカ１１に出力することによって、演奏曲と歌声を可聴音として再生する。
【００６１】
またＣＰＵ部７は、音楽データ中のジャンル情報に基づいて、外部映像再生装置２を制御して、楽曲のジャンルに応じた背景映像信号をスーパーインポーズ部９に出力する。
【００６２】
そしてＣＰＵ部７が、楽曲データ中の文字情報及び色替情報に基づいて、文字映像情報をスーパーインポーズ部９に出力すると、スーパーインポーズ部９は、外部映像再生装置２が出力した背景映像信号に文字映像情報に基づく文字映像信号とを合成した合成映像信号を映像表示部３へ出力することにより、歌詞映像と背景映像を表示する。
【００６３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００６４】
【図１】本発明に係るカラオケ演奏予約システムのシステム構成を示すブロック図である。
【図２】本発明に係るカラオケ用リモコン装置の構成を示すブロック図である。
【図３】本発明に係るカラオケ演奏予約システムの動作フローチャートである。
【図４】演奏曲情報記憶部１５に記憶させる演奏曲管理データの概念図である。
【図５】演奏曲情報記憶部１５が記憶する演奏曲管理テーブルの概念図である。
【符号の説明】
【００６５】
１        カラオケ装置
２        外部映像再生装置
３        映像表示部
６        主記憶装置
７        ＣＰＵ部
７ａ      ＲＯＭ
７ｂ      ＲＡＭ
８        ＭＩＤＩ音源部
９        スーパーインポーズ部
１０      ミキサ／アンプ部
１２      操作部
１３      表示部
１４      演奏データ記憶部
１５      演奏曲情報記憶部
１６      スピーカ
１７      無線通信部
１００    カラオケ用リモコン装置
１１０    無線通信部
１２０    操作部
１３０    ＣＰＵ部
１４０    表示部
【図１】
2005275307.tif 000003
【図２】
2005275307.tif 000004
【図３】
2005275307.tif 000005
【図４】
2005275307.tif 000006
【図５】
2005275307.tif 000007